(57)【要約】【課題】ボールにトップスピンがかかり易いパターヘッドを提供する。【解決手段】ヘッド本体２の前面（フェース面）に凹部２Ｈが設けられ、この凹部２Ｈ内にフェースインサート３が配置されている。このフェースインサート３は、粘弾性体よりなるフェースインサート本体４と、該フェースインサート本体４内に埋設された複数枚のブレード５とからなる。ブレード５は上下多段に設けられている。ブレード５は、前端側がフェースインサート本体４の前面に位置し、後端側が前端側よりも高位となっている。【選択図】図１
2012135343.tif 000002
【特許請求の範囲】
【請求項１】
ヘッド本体のフェース面にフェースインサートを装着したパターヘッドにおいて、
該フェースインサートは、粘弾性体よりなる板状のフェースインサート本体と、該フェースインサート本体の少なくとも前面部に上下多段に埋設された複数枚のブレードとを有しており、
該ブレードは、トウ・ヒール方向に延在しており、かつブレードの前端側が後端側よりも下位となっていることを特徴とするパターヘッド。
【請求項２】
請求項１において、前記ブレードは、前記フェースインサート本体の前面から後方へ上り勾配となっていることを特徴とするパターヘッド。
【請求項３】
請求項１において、前記ブレードは、前記フェースインサート本体の前面から後方へ向って略水平に配置された水平部と、該水平部の前端から垂下する垂下部とを有していることを特徴とするパターヘッド。
【発明の詳細な説明】
【技術分野】
【０００１】
本発明は、ゴルフのパターのパターヘッドに関するものであり、特にヘッド本体のフェース面にフェースインサートを装着したパターヘッドに関するものである。
【背景技術】
【０００２】
ゴルフのパターは、主としてグリーン上においてボールをヒットしてボールをカップに向けて転がす用途に用いられるクラブである。特開２００７−１１７６３５には、パターヘッドのフェース面にフェースインサートを装着して打感を柔らかくすることが記載されている。
【０００３】
特開２００１−６２００８には、フェース面の下部に合成樹脂発泡体を一体に設けることによりトップスピンをかけ易くしたパターヘッドが記載されている。しかしながら、合成樹脂発泡体を設けるだけではトップスピンのかかり方が微弱である。
【先行技術文献】
【特許文献】
【０００４】
【特許文献１】特開２００７−１１７６３５
【特許文献２】特開２００１−６２００８
【発明の概要】
【発明が解決しようとする課題】
【０００５】
本発明は、通常のパターに比べボールを打った時にボールにトップスピンがかかり易いパターヘッドを提供することを目的とする。
【課題を解決するための手段】
【０００６】
請求項１のパターヘッドは、ヘッド本体のフェース面にフェースインサートを装着したパターヘッドにおいて、該フェースインサートは、粘弾性体よりなる板状のフェースインサート本体と、該フェースインサート本体の少なくとも前面部に上下多段に埋設された複数枚のブレードとを有しており、該ブレードは、トウ・ヒール方向に延在しており、かつブレードの前端側が後端側よりも下位となっていることを特徴とするものである。
【０００７】
請求項２のパターヘッドは、請求項１において、前記ブレードは、前記フェースインサート本体の前面から後方へ上り勾配となっていることを特徴とするものである。
【０００８】
請求項３のパターヘッドは、請求項１において、前記ブレードは、前記フェースインサート本体の前面から後方へ向って略水平に配置された水平部と、該水平部の前端から垂下する垂下部とを有していることを特徴とするものである。
【発明の効果】
【０００９】
本発明のパターヘッドのフェースインサートは、粘弾性体よりなるフェースインサート本体と、該フェースインサート本体内に埋設されたブレードとを有しており、このブレードは、前端側が下位となっている。そのため、ボールをヒットしたときにブレードの前端側が下方ないし後方に向って変位するようになり、ボールにトップスピンがかかり易いものとなり、ヒットされたボールの直進性が良好となる。
【図面の簡単な説明】
【００１０】
【図１】（ａ）図は実施の形態に係るパターヘッドの分解斜視図、（ｂ）図はこのパターヘッドの正面図、（ｃ）図は（ｂ）図のＣ−Ｃ線断面図である。
【図２】フェースインサートの斜視図である。
【図３】図２のIII−III線断面図である。
【図４】別の実施の形態に係るパターヘッドのブレードユニットの斜視図である。
【図５】図４のＶ−Ｖ線断面図である。
【図６】図４のVI−VI線断面図である。
【図７】さらに別の実施の形態に係るパターヘッドのブレードユニットの斜視図である。
【図８】異なる実施の形態に係るパターヘッドのフェースインサートの断面図である。
【図９】さらに異なる実施の形態に係るパターヘッドのフェースインサートの断面図である。
【発明を実施するための形態】
【００１１】
以下、図面を参照して実施の形態について説明する。
【００１２】
第１図〜第３図は第１の実施の形態に係るパターヘッド１を示すものである。このパターヘッド１では、ヘッド本体２の前面（フェース面）に凹部２Ｈが設けられ、この凹部２Ｈ内にフェースインサート３が配置されている。この実施の形態では、ヘッド本体２はアルミ合金、チタン合金、銅合金、ステンレスなどの金属製である。フェースインサート３は、粘弾性体よりなるフェースインサート本体４と、該フェースインサート本体４内に埋設された複数枚のブレード５とからなる。
【００１３】
凹部２Ｈ及びフェースインサート本体４は、横長の略長方形状である。凹部２Ｈの深さは全体として均一であり、フェースインサート本体４の厚さも全体として均一である。ただし、部分的に深い箇所及び厚い部位を設けたり、逆に部分的に浅い箇所及び薄い部位を設けてもよい。
【００１４】
フェースインサート本体４の左右幅及び上下幅は凹部２Ｈよりも若干小さいものとなっており、フェースインサート本体４の上下左右の側面３Ｓと凹部２Ｈの周面２Ｓとの間には若干の空隙６があいている。この空隙６の幅は０．３〜１．５ｍｍ特に０．４〜１．０ｍｍ程度が好適である。フェースインサート本体４の大きさは上下幅が１６〜３０ｍｍ特に１８〜２５ｍｍ、左右幅が５０〜１５０ｍｍ特に７０〜１００ｍｍ、厚さが２〜１０ｍｍ特に３〜８ｍｍ程度が好ましいが、これに限定されない。
【００１５】
このフェースインサート本体４を構成する粘弾性材としてはゴム、エラストマー、軟質合成樹脂などの材料が用いられる。これらの材料は発泡ゴムなど発泡材であってもよい。
【００１６】
この実施の形態では、各ブレード５は平板状であり相互間に一定間隔をあけて上下多段に設けられている。各ブレード５は、前端側がフェースインサート本体４の前面（フェース面）に位置している。各ブレード５は、後端側ほど上位となるように傾斜して設置されている。フェースインサート本体４の前面を鉛直とした状態において、ブレードの傾斜角度θは２０〜７０°特に３０〜６０°程度が好ましい。
【００１７】
ブレード５の上下の配列ピッチは０．９〜２．５ｍｍ特に１．０〜１．５ｍｍ程度が好適である。ブレード５の材料としては、ステンレス、チタン、チタン合金などが好適である。ブレード５の厚みは０．４〜０．７ｍｍ特に０．４５〜０．６５ｍｍ程度であることが好ましい。
【００１８】
フェースインサート３は、第３図（ａ）の左側面がパターのフェース前面となるように凹部２Ｈ内に配置され、反対側が接着剤によって凹部２Ｈの奥壁面に接着される。接着剤としては、エポキシ系接着剤、ゴム系接着剤、両面テープなどが好適であるが、これに限定されない。
【００１９】
このように構成されたパターヘッド１のホゼル部１ｈにシャフトを連結することによりパターが構成される。このパターでパッティング（グリーン上のボールをフェース面で打つこと）すると、ボールをヒットしたときにブレード５の前端側が下方かつ斜め後方に向って変位することにより、トップスピンがかかり易くなり、ヒットされたボールの直進性が良好となる。
【００２０】
上記第３図（ａ）では、フェースインサート３の前面は平坦面となっているが、第３図（ｂ），（ｃ）のフェースインサート３’，３'’のように、ブレード５，５間のフェースインサート本体４に凹部４ｈ又は４ｇを設けてもよい。凹部４ｈはブレード５，５間において均等深さとなっている。凹部４ｇは縦断面形状が略円弧形状となっている。凹部４ｈ、４ｇの深さは０．５〜１．０ｍｍ程度が好ましい。
【００２１】
なお、フェースインサート３を製作するには、粘弾性体よりなるフェースインサート本体４に対し、ブレード５を差し込むのが好ましい。この場合、ブレード５を単独で例えば１枚ずつ差し込んでもよく、適宜のスペーサを介して各ブレード５を積層状に配列しておき、この積層体の各ブレード５の基端側をフェースインサート本体４に差し込み、その後スペーサを取り外してフェースインサート３を製作してもよい。
【００２２】
このようなスペーサを用いることなく、第４図〜第６図のように複数枚のブレード５の側辺部をプレート部８で連結したブレードユニット９を製作しておき、このブレードユニット９をフェースインサート本体４に差し込んでフェースインサート３を製造してもよい。
【００２３】
また、第７図のように、ブレード５の先端側を連結材１０に接着剤等によって仮留めしてブレードユニット１１としておき、このブレードユニット１１の各ブレード５をフェースインサート本体４に差し込み、その後、接着剤を溶剤で溶解させること等によって連結材１０を取り外してフェースインサート３を製造してもよい。
【００２４】
本発明では、各ブレード５を金型にセットしておき、粘弾性体を金型内に射出してフェースインサート３を製造してもよい。
【００２５】
上記実施の形態ではブレード５は平板状となっているが、第８図のフェースインサート１３のように、フェースインサート本体４内において略水平に延在する水平部１４ａと、該水平部１４ａの前端から垂下する垂下部１４ｂとを有したＬ字形断面形状のブレード１４を用いてもよい。
【００２６】
また、第９図のフェースインサート１５のように、前端側ほど下り勾配が大きくなるように、上方に向って凸に湾曲した湾曲板状のブレード１６を用いてもよい。
【００２７】
第１図では、フェースインサート本体４の周囲に空隙６を形成しているが、この空隙に、ゴム、エラストマー、合成樹脂などの粘弾性材を充填してもよい。また、空隙６が生じないようにフェースインサート本体４を凹部２Ｈにぴったりと嵌まるように構成してもよい。
【符号の説明】
【００２８】
１  パターヘッド
２  ヘッド本体
２Ｈ  凹部
３，３’，３'’，１３，１５  フェースインサート
４  フェースインサート本体
５，１４，１６  ブレード
９，１１  ブレードユニット
【図１】
2012135343.tif 000003
【図２】
2012135343.tif 000004
【図３】
2012135343.tif 000005
【図４】
2012135343.tif 000006
【図５】
2012135343.tif 000007
【図６】
2012135343.tif 000008
【図７】
2012135343.tif 000009
【図８】
2012135343.tif 000010
【図９】
2012135343.tif 000011